(57)【要約】      （修正有）【課題】電線等の引込み線を係留するための部材で、単純構造で取り扱い易く壊れにくい長期間の使用に耐え、各種衝撃を吸収する電線接続部材としての緩衝フックを提供する。【解決手段】線径３ｍｍ程のステンレス製鋼線を約１４巻きした長さ約１０ｃｍ、外径約３ｃｍ、内径約２ｃｍの圧縮バネと、同じステンレス製鋼線３０ｃｍ程を中央部でＵ字型、ヘアピン状に内間隔１３ｍｍ程に折り曲げ、真っ直ぐに伸びた棹部の両端部は長さ１．５ｃｍ程を更に折り曲げて係止端として反対側に直角に折り曲げたフックからなる。フックをバネに内挿し、バネの端部に打ちかけて留めて使用する。【選択図】図３
0003171153.tif 000002
【実用新案登録請求の範囲】
【請求項１】
線径３ｍｍほどのステンレス製の鋼線を約１４巻きして長さ約１０ｃｍ外径約３ｃｍ内径約２ｃｍの圧縮バネ（バネ定数は約０．５ｋｇｆ／ｍｍ）を用意しておき、更に同じ材料の長さ３０ｃｍ程のステンレス製の鋼線３０ｃｍ程を中央部でＵ字型、ヘアピン状に内間隔１３ｍｍ程に折り曲げ、真っ直ぐに伸びた棹部の両端部は長さ１．５ｃｍ程を更に折り曲げて係止端として反対側に直角に折り曲げ、このフックをバネに内挿氏多彩に、バネの端部に打ちかけて留められるようにしておき、バネと組み合わせて使用することを特徴とする引き込み線用緩衝フック。
【請求項２】
Ｕ字型ヘアピンをこしらえる際には鋼線に捻りを入れ、出来上がったヘアピンの棹部を握って両端部を近づける時端部が交差して両端部がお互いに逃げ前述のバネに挿入し易いようにしてあることを特徴とする請求項１記載の引き込み線用緩衝フック。
【請求項３】
バネとＵ字型ヘアピンを組み合わせて一体として使用することを特徴とする請求項１記載の引き込み線用緩衝フック。
【考案の詳細な説明】
【技術分野】
【０００１】  電線・電話線データー通信線等のケーブルを家屋内に引き込む際に、設置後起こりうる風や雪によって生じる引っ張りや捩れ等を吸収緩和するケーブル設置部材に関する。
【従来技術】
【０００２】電柱等から電話線等を各家屋に引き込む際に家屋の角などにフックを取り付け引込み線を繋いで、保持し、そこから家屋内に取り込む方法が一般に行われていた。
【０００４】  引込み線が強い風にさらされて引っ張られたり揺さぶられたりすることがありケーブル等が痛み易かった。
【考案の開示】
【０００４】又積雪地帯に於いて無風状態の降雪の折、引込み線に雪が降り積もり雪が線の周りをある厚さで同心的にソーセージのように太く付着することがある。それがあるきっかけで同時に落下する際に起こる反跳力は大きく高圧電線さえ切断されることがあるが、そのような強い力を受けても線が切断されないような工夫がなされてきた。
【０００５】出願人達はこの分野で衝撃力や捻れを吸収するものとして電線付属部材を考案した。（実用新案登録第３０７３９４０号）
【０００６】その後さらに研究開発を進めより簡単で取り扱い易く壊れにくい部材を完成させたので新たにその考案を申請する。
【考案が解決しようとする課題】
【０００５】  電線等の引込み線を係留するための部材で可能な限り単純構造で。取り扱い易く壊れにくい各種衝撃を吸収して長期間の使用に耐える電線接続部材を提供する。
【考案の開示】
【課題を解決するための手段】
【０００６】  本考案は上記問題に鑑みてなされたものであり、耐腐食性に優れた鋼材ｓｕｓ３０４−ｗｐｂの線材を使用し同一材料ですべての部品を作る。長さ１０ｃｍ程の圧縮バネ１とそれに両側から挿入して使う２本のフック２からなり、くみ上げて一体となした全長は約１５ｃｍ程のコンパクトなものである。
【考案の効果】
【０００７】  本考案の引き込み線用緩衝フックを使用すれば、短時間で簡単に引込み線の工事が行え、部材費、工事費を著しく軽減する効果がある。且つ設置後は引込み線に掛かる過分な引っ張りや捩れを吸収して風雪に曝されても長期。に耐える
【考案を実施するための最良の形態】
【００１０】本考案の実施例を図面に本基づいて説明する。本考案の部材は材質ｓｕｓ３０４−ｗｐｂの線径３．２ｍｍの鋼線で作られたバネ１を１本とフック２を２本の２種類の部品からなる【００１１】  本考案の引き込み線用緩衝フックを図面に基づいて説明すると、図１は、バネが示してあり、図１ａバネを横方から見た側面図である。図１ｂにはバネを軸方向からみた見た正面図である。バネの長さは１００ｍｍ、外径は２８ｍｍ内径は２２ｍｍである。【００１２】  図２にはフック２が示してあり、図２ａが平面図、図２ｂが側面図である。
材料はバネと同じｓｕｓ３０４−ｗｐｂの線径３．２ｍｍの長さ３０ｃｍ程の鋼線を中心部でＵ字型に半径６．５ｍｍで後述の目的のために捻りを入れながら折り返し部３をこしらえる。それから平行に伸びている棹部４の先端を１８０度反対方向にお互い外向き折り曲げて１５ｍｍほどのバネ係止め端５をこしらええておく。【００１３】  実際の使用形態はず図３に示すようにフック２本をそれぞれバネの両側に折り返し部３が頭を出すように両方向から挿入した形になっている図示はしないが左右の折り返し部に例えば左側に家屋に固定してある固定用フックと右側に引き込みケーブルを繋いで使用する。ケーブルに力が掛かって引っ張られるとバネが縮んでそれを吸収する。【００１４】  実際の計測では２５ｋｇの力が掛かるとバネは５ｃｍ縮む。埋まりバネの長さが半分になるまで耐えることができる。現実に子の様な過大な力が加わることはほとんど無い。
【産業上の利用の可能性】
【００１５】以上述べたように本考案の引き込み線用緩衝フックに寄れば、すくない部品点数からなるコンパクトで使用方法が簡単で使用効果が大で耐腐食性材料を使用しているので長期間の使用に耐える。
自然保護の立場から見ても好ましい。
【図面の簡単な説明】
【００１７】
【図１】ａバネの側面図。ｂバネの平面図
【図２】ａフックの平面図。
【図２】ｂフックの側面図。
【図３】バネとフック２本を組み合わせた状態を示す側面図。
【符号の説明】
【００１８】１  バネ
２  フック
３  フックの折り返し部
４  バネ係止め端
【図１】
0003171153.tif 000003
【図２】
0003171153.tif 000004
【図３】
0003171153.tif 000005
【手続補正書】
【提出日】平成23年8月1日(2011.8.1)
【手続補正１】
【補正対象書類名】実用新案登録請求の範囲
【補正対象項目名】全文
【補正方法】変更
【補正の内容】
【実用新案登録請求の範囲】
【請求項１】
線径３ｍｍほどのステンレス製の鋼線を約１４巻きして長さ約１０ｃｍ外径約３ｃｍ内径約２ｃｍの圧縮バネ（バネ定数は約０．５ｋｇｆ／ｍｍ）を用意しておき、更に同じ材料の長さ３０ｃｍ程のステンレス製の鋼線３０ｃｍ程を中央部でＵ字型、ヘアピン状に内間隔１３ｍｍ程に折り曲げ、真っ直ぐに伸びた棹部の両端部は長さ１．５ｃｍ程を更に折り曲げて係止端として反対側に直角に折り曲げてフックとし、このフックをバネに内挿した際に、バネの端部に打ちかけて留められるようにしておき、バネと組み合わせて使用することを特徴とする引き込み線用緩衝フック。
【請求項２】
Ｕ字型ヘアピンをこしらえる際には鋼線に捻りを入れ、出来上がったヘアピンの棹部を握って両端部を近づける時端部が交差して両端部がお互いに逃げ前述のバネに挿入し易いようにしてあることを特徴とする請求項１記載の引き込み線用緩衝フック。
【請求項３】
バネとＵ字型ヘアピンを組み合わせて一体として使用する際にフック２本をバネの両側から差し込むときフックの折り返し部それぞれバネの両側から頭を出しているように、更にフックのカーブの張る面がお互いに直交するようにしてあることを特徴とする請求項１記載の引き込み線用緩衝フック。